(57)【特許請求の範囲】
【請求項１】
コラム内設置型水中ポンプのポンプ本体部を挿入して設置するとともに、下端部に開口を設けたコラム内設置型水中ポンプ用コラムであって、前記コラムの下端部開口周辺に、コラム内に突出した前記ポンプ本体部を支持するフランジ部を設け、前記ポンプ本体部の下端部吸込口に接続可能な、上端周辺にフランジ部を設けた吸込カバーを有し、該吸込カバーの上端開口部は前記開口に連通してコラムの下端に、前記ポンプ本体部を支持するフランジ部と前記吸込カバーのフランジ部を接合することで取付けられており、その吸込カバーの入口径が前記コラムの内径よりも大きいことを特徴とするコラム内設置型水中ポンプ用コラム。
【発明の詳細な説明】
【０００１】
【発明の属する技術分野】
本発明は、コラム内設置型水中ポンプ用コラムに係り、特に、コラムの内径を大きくすることなくポンプ本体部の吸込口に接続される吸込カバーの入口径を大きくすることが可能なコラム内設置型水中ポンプ用コラムに関する。
【０００２】
【従来の技術】
従来より、図３に示すように、コラム内設置型水中ポンプＰは、水中モータによってなる原動機１と、この原動機１によって回転駆動される羽根車（図示省略）を回転自在に収容したポンプケーシング２とでポンプ本体部３を構成し、ポンプ本体部３におけるポンプケーシング２の下側に下向きの吸込カバー１０を取付けて、ポンプケーシング２の下端部吸込口４と吸込カバー１０の上端開口部５とを連通接続した構造になっている。このコラム内設置型水中ポンプＰはコラム６に上側から挿入して設置される。
【０００３】
具体的には、コラム６の下端部に設けた開口８を通して、ポンプケーシング２と吸込カバー１０とをコラム６の下方に突出させ、原動機１とポンプケーシング２との境界部に設けたフランジ部７を開口８周辺のフランジ部９に載置して支持している。
【０００４】
一方、この種のコラム内設置型水中ポンプＰには、固有の運転可能最低水位ＬＬＷＬが存在し、この運転可能最低水位ＬＬＷＬ以下の水位で排水運転を行うと、空気吸込渦が発生して空気混じりの水を吸い込むことになる。その結果、激しい振動や大きい騒音を生じて、ポンプ運転機能障害を引き起こしたり、周辺設備を損傷させるおそれがある。このため、吸水槽１１の水位が運転可能最低水位ＬＬＷＬまで低下した場合には、この水位ＬＬＷＬを検出して、コラム内設置型水中ポンプＰの運転を停止する制御がなされる。
【０００５】
ところが、運転可能最低水位ＬＬＷＬにおいてコラム内設置型水中ポンプＰの運転を停止する深さＨの吸水槽１１では、運転可能最低水位ＬＬＷＬから吸水槽１１の底１１Ａまでの深さＨ１が大きくなって、吸水槽１１の構築土木費用が高くなる。
【０００６】
一方、吸込カバー１０の入口径を大きくすると、吸込流速が遅くなって、空気吸込渦が発生し難くなるので、運転可能最低水位ＬＬＷＬを同じレベルに設定すると、運転可能最低水位ＬＬＷＬから吸水槽１１の底１１Ａまでの深さを二点鎖線で示すＨ２の位置まで底上げして、吸水槽１１の構築土木費用を低減することができる。このため、吸込カバー１０の入口径を大きくして、吸水槽１１の構築土木費用を低減したい要求がある。
【０００７】
【発明が解決しようとする課題】
しかし、コラムの下端部に設けた開口を通して、ポンプケーシングと吸込カバーとをコラムの下方に突出させ、原動機とポンプケーシングとの境界部に設けたフランジ部を開口周辺のフランジ部に載置して支持している従来のコラム内設置型水中ポンプでは、吸込カバーの入口径を大きくすると、開口の内径およびコラムの内径をともに大きくした大径のコラムが必要になる。このため、コラムのコストが高くなる。
【０００８】
そこで、本発明は、開口の内径およびコラムの内径を拡大することなく、吸込カバーの入口径のみを大きくすることで、コラムがコスト高になるのを抑えて、たとえば、吸水槽の構築土木費用を低減したい要求に応じることができるコラム内設置型水中ポンプ用コラムを提供することを目的としている。
【０００９】
【課題を解決するための手段】
前記目的を達成するために、本発明に係るコラム内設置型水中ポンプ用コラムは、コラム内設置型水中ポンプのポンプ本体部を挿入して設置するとともに、下端部に開口を設けたコラム内設置型水中ポンプ用コラムであって、前記コラムの下端部開口周辺に、コラム内に突出した前記ポンプ本体部を支持するフランジ部を設け、前記ポンプ本体部の下端部吸込口に接続可能な、上端周辺にフランジ部を設けた吸込カバーを有し、該吸込カバーの上端開口部は前記開口に連通してコラムの下端に、前記ポンプ本体部を支持するフランジ部と前記吸込カバーのフランジ部を接合することで取付けられており、その吸込カバーの入口径が前記コラムの内径よりも大きいことを特徴としている。
【００１０】
本発明によれば、ポンプ本体部と吸込カバーを分離し、吸込カバーの上端開口部をコラムの下端部に設けた開口に連通させた状態で、吸込カバーをコラムの下端に取付けているので、前記開口の内径およびコラムの内径を拡大することなく、吸込カバーの入口径のみを大きくすることができる。また、吸込カバーがポンプ本体部から分離されることにより、吸込カバーの重量に相当してポンプ本体部の重量を軽減できる。このため、コラムに対して上側からポンプ本体部を挿入する場合の吊り重量が軽くなるので、コラムに対するポンプ本体部の挿入作業が容易になる。
【００１１】
【発明の実施の形態】
以下、本発明の一実施の形態を図面に基づいて説明する。なお、前記図３の従来例と同一もしくは相当部分には、同一符号を付して説明する。図１は本発明の一実施の形態を示す要部の拡大縦断面図であり、この図において、コラム６の下端部には開口８が設けられ、吸込カバー１０の上端開口部５を開口８に連通させてコラム６の下端に取付けられている。具体的には、開口８周辺のフランジ部９の下側に上端開口部５周辺のフランジ部５Ａを当接させて、複数組のボルト・ナットによってなる締結部材１２により両者９、５Ａａを一体に結合することによって、コラム６の下端に吸込カバー１０を取付けている。
【００１２】
コラム６には、図２のように、コラム内設置型水中ポンプＰにおける原動機１とポンプケーシング２とを備えたポンプ本体部３が上側から挿入して設置される。つまり、ポンプケーシング２の下端部に設けたフランジ部７を開口８周辺のフランジ部９に載置して支持する。この時、ポンプケーシング２の下端部吸込口４が吸込カバー１０の上端開口部５に挿入されて、下端部吸込口４と上端開口部５が互いに接続される。
【００１３】
このように、ポンプ本体部３と吸込カバー１０を分離し、吸込カバー１０の上端開口部５をコラム６の下端部に設けた開口８に連通させた状態で、吸込カバー１０をコラム６の下端に取付けているので、開口８の内径およびコラム６の内径を拡大することなく、吸込カバー１０の入口径Ｄのみを大きくすることができる。このため、コラム６がコスト高になるのを抑えて、たとえば、吸水槽１１（図３参照）の構築土木費用を低減したい要求に応じることができる。すなわち、吸込カバー１０の入口径Ｄを大きくすることにより、吸込流速を遅くして、空気吸込渦の発生を難くすることで、運転可能最低水位ＬＬＷＬを同じレベルに設定した場合、運転可能最低水位ＬＬＷＬから吸水槽１１の底１１Ａまでの深さを二点鎖線で示すＨ２の位置まで底上げして、吸水槽１１の構築土木費用を低減することができる。
【００１４】
また、吸込カバー１０がポンプ本体部３から分離されることにより、吸込カバー１０の重量に相当してポンプ本体部３の重量を軽減できる。このため、コラム６に対して上側からポンプ本体部３を挿入する場合の吊り重量が軽くなるので、コラム６に対するポンプ本体部３の挿入作業が容易になる。
【００１５】
【発明の効果】
以上説明したように、本発明は、ポンプ本体部と吸込カバーを分離し、吸込カバーの上端開口部５をコラムの下端部に設けた開口に連通させた状態で、吸込カバーをコラムの下端に取付けているので、開口の内径およびコラムの内径を拡大することなく、吸込カバーの入口径のみを大きくすることができる。このため、コラムがコスト高になるのを抑えて、たとえば、吸水槽の構築土木費用を低減したい要求に応じることができる。また、吸込カバーがポンプ本体部から分離されることにより、吸込カバーの重量に相当してポンプ本体部の重量を軽減できる。したがって、コラムに対して上側からポンプ本体部を挿入する場合の吊り重量が軽くなるので、コラムに対するポンプ本体部の挿入作業が容易になる。
【図面の簡単な説明】
【図１】  本発明の一実施の形態を示す要部の拡大縦断面図である。
【図２】  ポンプの設置状態を示す要部の拡大縦断面図である。
【図３】  従来のコラム内設置型水中ポンプ用コラムの設置状態を示す構成図である。
【符号の説明】
１  原動機
２  ポンプケーシング
３  ポンプ本体部
４  ポンプ本体部の下端吸込口
５  吸込カバーの上端開口部
５Ａ  吸込カバーの上端開口部周辺のフランジ部
６  コラム
８  コラムの下端部に設けた開口
９  コラムの下端部開口周辺のフランジ部
１０  吸込カバー
Ｐ  コラム内設置型水中ポンプ
Ｄ  吸込カバーの入口径
【図１】
0003694592.tif 000002
【図２】
0003694592.tif 000003
【図３】
0003694592.tif 000004